(57)【要約】      （修正有）【課題】カップへの脱着が容易で、簡単な操作で蓋を押さえるカップホルダを提供する。【解決手段】カップホルダ２０は、リング部２１、ハンドル部２２及び蓋留め部２３を備えている。リング部２１の内径は、カップ１０の開口部近傍の外径よりも大きく、フランジ部１１の外径よりも小さく構成されている。ハンドル部２２には、カップ１０の蓋を止めるための蓋留め部２３が設けられている。蓋留め部２３は、涙形の板形状をしており、その一端部が、ハンドル部２２に水平方向に回動可能に設けられている。この蓋留め部２３は、カップホルダ２０が、カップ１０のフランジ部１１に掛止された位置にある場合に、カップ１０の蓋１２との間に隙間が構成する高さに配置されているため、カップ１０のフランジ部１１と蓋留め部２３とによって、カップ１０の蓋１２を挟み込むことにより、蓋１２が閉じられた状態を維持する。【選択図】図１
0003181007.tif 000002
【実用新案登録請求の範囲】
【請求項１】
蓋を有する容器内に食品を収容したカップのフランジ部の外縁部よりも小さく、前記カップの内縁部より大きくしたリング部と、
前記リング部に接続されたハンドル部と、
前記リング部に対して回動可能に設けられ、前記カップの前記蓋が閉じられた状態を維持する蓋保持部とを備えたことを特徴とするカップホルダ。
【請求項２】
前記蓋保持部は、平板形状をしており、水平方向に回動可能に前記ハンドル部に設けられていることを特徴とする請求項１に記載のカップホルダ。
【請求項３】
前記蓋保持部は、前記ハンドル部とは対向する位置に設けられていることを特徴とする請求項２に記載のカップホルダ。
【請求項４】
前記蓋保持部は、鉛直方向に回動可能に、前記ハンドル部に設けられ、
前記蓋保持部には、前記カップの開口部を覆う蓋部が設けられていることを特徴とする請求項１に記載のカップホルダ。
【請求項５】
前記リング部の内側に、リング部の内部の突出する三角形状をした複数の突起部から構成された滑り止め部を設けたことを特徴とする請求項１〜４のいずれか１項に記載のカップホルダ。
【請求項６】
前記蓋保持部を、前記カップの底面の位置まで延在させたことを特徴とする請求項１〜５のいずれか１項に記載のカップホルダ。
【請求項７】
前記リング部の表面に、前記カップ内の基準温度に対応した温度を表示する温度計を設けたことを特徴とする請求項１〜６のいずれか１項に記載のカップホルダ。
【請求項８】
前記リング部の表面に、カップ内が基準温度を超えた場合に時間を計測し、予め定めた調理時間を経過した時にアラームを出力するタイマを設けたことを特徴とする請求項７に記載のカップホルダ。
【考案の詳細な説明】
【技術分野】
【０００１】
本考案は、菓子やカップラーメン等の食品がカップに収容されたカップ製品に用いるカップホルダに関するものである。
【背景技術】
【０００２】
今日、菓子やカップラーメン等の食品がカップに収容されたカップ製品を利用することが多い。このようなカップ製品においては、突起が少ないカップ形状が用いられているため、カップを持ち難い場合がある。そこで、カップを保持するためのカップホルダが検討されている（例えば、特許文献１参照）。
【０００３】
このカップホルダにおいては、ホルダ本体に、蓋を有するカップ本体内に食品を収容したカップラーメン等のカップ食品を保持し剛性を有する取手が設けられている。更に、このホルダ本体には、蓋を外部から押さえて閉じた状態に保持する一方、この状態の解除が可能のストッパが配設されている。このストッパは、ホルダ本体に、その高さ方向に調節可能、かつ着脱可能に配設されている。
【先行技術文献】
【特許文献】
【０００４】
【特許文献１】登録実用新案第３１７２３６１号公報
【考案の概要】
【考案が解決しようとする課題】
【０００５】
カップホルダが大きい場合には、カップホルダの製造コストが高くなるとともに、着脱が難しいという課題があった。
更に、カップ食品においては、食品の調理や保存において、蓋を閉じることがある。この場合、カップホルダの蓋を押さえるための蓋保持部を設けることも可能であるが、この蓋保持部の操作が容易でない場合には、使い勝手がよくない。
【０００６】
また、カップラーメン等においては、湯を注ぎ込むことにより、カップに収容された食品を調理する。この場合には、湯温度や飲食可能になるまでの時間が大切である。
そこで、本考案は、カップへの脱着が容易であるとともに、簡単な操作で蓋を押さえることができるカップホルダを提供することを目的とする。
【課題を解決するための手段】
【０００７】
本開示によれば、蓋を有する容器内に食品を収容したカップのフランジ部の外縁部よりも小さく、カップの内縁部より大きくしたリング部と、リング部に接続されたハンドル部と、リング部に対して回動可能に設けられ、カップの蓋が閉じられた状態を維持する蓋保持部とを備えたカップホルダであることを要旨とする。これにより、蓋保持部を回転させるという簡単な操作により、カップの蓋が閉じられた状態を維持することができる。
【０００８】
本開示によれば、蓋保持部は、平板形状をしており、水平方向に回動可能にハンドル部に設けられていることを要旨とする。これにより、簡単な構成で、蓋保持部によって、カップの蓋が閉じられた状態を維持することができる。
【０００９】
本開示によれば、蓋保持部は、ハンドル部とは対向する位置に設けられていることを要旨とする。これにより、ハンドル部とは逆側に、カップの蓋の開放端が位置するので、ハンドル部を把持した手と逆方向からカップの収容物を取り出すことができる。従って、カップの蓋とフランジ部との接着部分がハンドル部になるため、蓋とフランジ部との接着部分が邪魔にならず、容易に取り出すことができる。
【００１０】
本開示によれば、蓋保持部は、鉛直方向に回動可能に、ハンドル部に設けられ、蓋保持部には、カップの開口部を覆う蓋部が設けられていることを要旨とする。これにより、蓋部が、カップの蓋の代わりに、カップの開口部全体を覆うことができる。
【００１１】
本開示によれば、リング部の内側に、リング部の内部の突出する三角形状をした複数の突起部から構成された滑り止め部を設けたことを要旨とする。これにより、突起部において三角形状の頂点が、カップの側面に徐々に食い込むので、無理なく保持し易いとともに、カップホルダによってカップを、より強固に保持することができる。
【００１２】
本開示によれば、蓋保持部を、前記カップの底面の位置まで延在させたことを要旨とする。これにより、カップホルダをカップに装着した場合、ハンドル部が支えになって、リング部の高さを保持するので、ずり落ちを抑制することができる。
【００１３】
本開示によれば、カップ内の基準温度に対応した温度を表示する温度計を設けたことを要旨とする。これにより、インスタントラーメンのように、湯をカップ内に注いで調理する場合に、カップ内の温度を確認して、的確な調理を行なうことができる。
【００１４】
本開示によれば、リング部の表面に、カップ内が基準温度を超えた場合に時間を計測し、予め定めた調理時間を経過した時にアラームを出力するタイマを設けたことを要旨とする。これにより、基準温度の湯を注いでから調理時間を経過したことを、より確実に知ることができる。
【考案の効果】
【００１５】
本考案によれば、カップへの脱着が容易で、簡単な操作で蓋を押さえることができる。
【図面の簡単な説明】
【００１６】
【図１】本考案の第１の実施形態に係るカップホルダの正面図。
【図２】本考案の第１の実施形態に係るカップホルダの使用時の説明図であって、（ａ）はカップの蓋を開けた状態、（ｂ）はカップの蓋を閉じた状態を示す。
【図３】本考案の第２の実施形態に係るカップホルダの説明図であって、（ａ）はカップホルダの正面図、（ｂ）は要部の一部拡大断面図。
【図４】本考案の他の実施形態に係るカップホルダの説明図であって、（ａ）は第３の実施形態、（ｂ）は第４の実施形態。
【図５】本考案の第５の実施形態に係るカップホルダの説明図。
【図６】本考案の他の実施形態に係るカップホルダの説明図であって、（ａ）は第６の実施形態、（ｂ）は第７の実施形態。
【考案を実施するための形態】
【００１７】
（第１の実施形態）
以下、本考案の第１の実施形態を、図１及び図２を用いて説明する。本実施形態では、図１に示すように、菓子やインスタントラーメン等の食品が収容されたカップ食品のカップ１０を保持するカップホルダ２０について説明する。
【００１８】
本実施形態のカップホルダ２０は、下部の底面側から上部の開口側に向けて、広がる形状を有した、ほぼ逆円錐台形状のカップ１０を保持する。このカップ１０は、例えば発泡スチロール等樹脂製の容器であり、開口部の周囲には、開口部の形状を保持するためのフランジ部１１が設けられている。そして、カップ１０の上部の開口部には、蓋１２が設けられている。この蓋１２は、フランジ部１１に剥離可能に接着させることにより、飲食前には内容物を密閉するとともに、飲食時には開放されることにより、内容物を取り出すことができるようになっている。
【００１９】
カップホルダ２０は、リング部２１、ハンドル部２２及び蓋留め部２３を備えている。これらは、例えばＡＢＳ（アクリロニトリル・ブタジエン・スチレン）樹脂やメラミン樹脂等の弾性を有する材料により構成される。リング部２１は、カップ１０の逆円錐台形状に整合する環状の形状をしている。リング部２１は、カップ１０の高さよりも低くなるように構成されている。リング部２１の内径は、カップ１０の開口部近傍の外径よりも大きく、フランジ部１１の外径よりも小さく構成されている。これにより、カップホルダ２０は、カップ１０のフランジ部１１に掛止されて、上から抜けないように構成されている。
【００２０】
リング部２１には、ハンドル部２２が設けられている。本実施形態のハンドル部２２は、丸みを帯びて湾曲した逆Ｌ字形状をしており、その端部がリング部２１の上端に接続されている。
【００２１】
更に、ハンドル部２２の上端領域には、カップ１０の蓋を止めるための蓋留め部２３が設けられている。この蓋留め部２３は、蓋保持部として機能し、丸みを帯びた三角形状（ギターピック形状）の平板により構成されており、その一端部が、ハンドル部２２に水平方向に回動可能に設けられている。カップホルダ２０のリング部２１の上端部が、カップ１０のフランジ部１１に掛止された場合に、この蓋留め部２３は、フランジ部１１との間に隙間ができる高さに設けられている。これにより、フランジ部１１と蓋留め部２３とによって、カップ１０の蓋１２を挟み込んで、蓋１２が閉じられた状態を維持することができる。
【００２２】
図２に従って、このように構成されたカップホルダ２０の使用方法を説明する。まず、カップ１０を、蓋１２を開けた状態でカップホルダ２０に収容する。
図２（ａ）に示すように、まず、カップホルダ２０のリング部２１にカップ１０を挿入し、カップホルダ２０を、カップ１０の開口部付近まで移動させて嵌合させる。そして、カップ１０の蓋１２の開放端をハンドル部２２側に移動させる。
【００２３】
図２（ｂ）に示すように、蓋留め部２３を回転させて、蓋留め部２３を蓋１２の一部の上面に配置することにより、蓋１２の開口側がフランジ部１１と蓋留め部２３とにより挟み込まれて、蓋１２が閉じられた状態を維持する。
カップ１０の蓋１２を開ける場合には、蓋留め部２３を回転させて蓋１２を上方に引き上げる。
【００２４】
本実施形態によれば、以下のような効果を得ることができる。
（１）本実施形態のカップホルダ２０は、リング部２１、ハンドル部２２及び蓋留め部２３を備えている。リング部２１の高さは、カップ１０の高さよりも低く構成されている。リング部２１の内径は、カップ１０の開口部近傍の外径よりも大きく、フランジ部１１の外径よりも小さく構成されている。これにより、カップホルダ２０のリング部２１にカップ１０を挿入し、カップホルダ２０を、カップ１０の開口部付近まで移動させ、フランジ部１１に掛止させて嵌合させることにより、カップ１０を保持することができる。従って、着脱が容易で、カップホルダ２０が簡易な構成であるため、カップホルダ２０の製造コストを低減することができる。
【００２５】
（２）本実施形態の蓋留め部２３は、平板により構成されており、ハンドル部２２に水平方向に回動可能に取り付けられている。これにより、蓋留め部２３を、回転させて蓋１２の一部の上面に配置することにより、蓋１２の開口側がフランジ部１１と蓋留め部２３とにより挟み込まれて、蓋１２が閉じられた状態を維持することができる。
【００２６】
（第２の実施形態）
次に、本考案を具体化したカップホルダの第２の実施形態を、図３を用いて説明する。なお、本実施形態は、第１の実施形態のカップホルダ２０のリング部２１の構成を変更したのみの構成であるため、同様の部分については、同一の符号を付し、その詳細な説明を省略する。
【００２７】
図３（ａ）に示すように、本実施形態においては、リング部２１の内側には、滑り止め部２１０が設けられている。この滑り止め部２１０は、リング部２１の内周に、複数の突起部２１１が、一列に並ぶ配置で設けられている。
【００２８】
図３（ｂ）に示すように、この突起部２１１は、上方に対して下方が広がった三角錐形状をしている。カップホルダ２０が、カップ１０のフランジ部１１に掛止された位置にある場合に、突起部２１１が、対向するカップ１０の外径よりも内部に突出する大きさに形成されている。これにより、ハンドル部２２を把持して、カップ１０を持ち上げた場合、三角錐形状の突起が、カップ１０の側面にわずかに食い込んで、カップ１０の開口部付近に、カップホルダ２０を保持する。一方、カップホルダ２０を強めに引き下ろすことにより、滑り止め部２１０の突起部２１１がカップ１０から外れ、カップホルダ２０を取り外すことができる。
【００２９】
本実施形態によれば、上記（１）及び（２）に記載の効果と同様な効果に加えて、以下のような効果を得ることができる。
（３）本実施形態では、リング部２１の内周に、複数の突起部２１１が一列に並んだ滑り止め部２１０が設けられている。これら突起部２１１は、カップホルダ２０がカップのフランジ部１１に掛止された位置にある場合に、カップ１０の側面に食い込むので、カップホルダ２０をカップ１０に強固に保持させることができる。
【００３０】
（４）本実施形態では、突起部２１１は三角錐形状をしている。これにより、カップ１０の開口部付近までカップホルダ２０を相対移動させる際に、突起部２１１（三角錐）の頂点が、カップ１０の側面に徐々に食い込むので、無理なく保持させることができる。また、カップホルダ２０からカップ１０を抜く場合には、カップ１０をリング部２１に挿入するときの力よりも大きな力が必要になる。従って、カップホルダ２０からカップ１０が抜け落ちることを抑制できる。
【００３１】
（第３の実施形態）
次に、本考案を具体化したカップホルダの第３の実施形態を、図４（ａ）を用いて説明する。なお、本実施形態は、第２の実施形態のカップホルダ２０の蓋留め部２３の構成を変更したのみの構成であるため、同様の部分については、同一の符号を付し、その詳細な説明を省略する。
【００３２】
図４（ａ）に示すように、本実施形態においては、カップホルダ２０のハンドル部２２には、蓋留め部２３の代わりに、鉛直面内で回動可能なグリップ部２５１を設ける。このグリップ部２５１は、蓋保持部として機能し、ハンドル部２２を把持した手の指で、グリップ部２５１の回動させるための突起部２５１ａが設けられている。更に、このグリップ部２５１の突起部２５１ａの反対側には、カップ１０の開口部全体を覆う円板状の蓋部２５２が設けられている。
【００３３】
本実施形態によれば、上記（１）、（３）及び（４）に記載の効果と同様な効果に加えて、以下のような効果を得ることができる。
（５）本実施形態では、カップホルダ２０のハンドル部２２には、回動可能なグリップ部２５１を設ける。更に、このグリップ部２５１は、回動可能な突起部２５１ａ及び円板状の蓋部２５２を備えている。これにより、グリップ部２５１の回動に応じて蓋部２５２を回動させて、ハンドル部２２とは反対側の開放端から、カップ１０の収容物を取り出すことができる。更に、カップ１０の蓋１２をカップ１０からすべて剥離した場合にも、蓋部２５２により、カップ１０の開口部全体を覆うことができる。
【００３４】
（第４の実施形態）
次に、本考案を具体化したカップホルダの第４の実施形態を、図４（ｂ）を用いて説明する。なお、本実施形態は、第２の実施形態のカップホルダ２０の蓋留め部２３の位置を変更したのみの構成であるため、同様の部分については、同一の符号を付し、その詳細な説明を省略する。
本実施形態では、蓋留め部２３をハンドル部２２と異なる位置に設けた構成である。
【００３５】
図４（ｂ）に示すように、本実施形態においては、リング部２１の上端で、ハンドル部２２と対向する位置に突起部２６を設ける。そして、この突起部２６上に、蓋留め部２３を設ける。
そして、カップホルダ２０のリング部２１にカップ１０を挿入した後、カップ１０の蓋１２の開放端を蓋留め部２３で固定することにより、開口部を閉じる。
【００３６】
本実施形態によれば、上記（１）〜（４）に記載の効果と同様な効果に加えて、以下のような効果を得ることができる。
（６）本実施形態では、カップホルダ２０に、リング部２１でハンドル部２２と対向する位置に突起部２６を設け、この突起部２６上に蓋留め部２３を設ける。これにより、ハンドル部２２とは逆側に、カップ１０の蓋１２の開放端が位置するので、ハンドル部２２を把持した手と逆方向からカップ１０の収容物を取り出すことができる。従って、蓋１２とフランジ部１１との接着部分がハンドル部２２になるため、蓋１２が邪魔にならない。
【００３７】
（第５の実施形態）
次に、本考案を具体化したカップホルダの第５の実施形態を、図５を用いて説明する。なお、本実施形態は、第１の実施形態のカップホルダ２０のハンドル部２２の構成を変更したのみの構成であるため、同様の部分については、同一の符号を付し、その詳細な説明を省略する。
【００３８】
図５に示すように、本実施形態のカップホルダ２０は、ハンドル部２２の長さをカップ１０の高さに合わせた長さの形状にする。
【００３９】
本実施形態によれば、上記（１）及び（２）に記載の効果と同様な効果に加えて、以下のような効果を得ることができる。
（７）本実施形態では、ハンドル部２２の長さをカップ１０の高さに合わせた形状にする。これにより、カップホルダ２０をカップ１０に装着した場合、ハンドル部２２が支えになって、リング部２１の位置を保持するので、ずり落ちを抑制することができる。
【００４０】
（第６の実施形態）
次に、本考案を具体化したカップホルダの第６の実施形態を、図６（ａ）を用いて説明する。なお、本実施形態は、第１の実施形態のカップホルダ２０のリング部２１の構成を変更したのみの構成であるため、同様の部分については、同一の符号を付し、その詳細な説明を省略する。
【００４１】
図６（ａ）に示すように、本実施形態のカップホルダ２０は、リング部２１の側面に、シート状の温度計３０を貼付する。この温度計３０には、貼付されたカップ１０における温度に応じて、カップ１０内部の温度を表示する目盛りを設ける。
【００４２】
本実施形態によれば、上記（１）及び（２）に記載の効果と同様な効果に加えて、以下のような効果を得ることができる。
（８）本実施形態では、カップホルダ２０に、カップ内部温度を表示する温度計３０を設けた。これにより、インスタントラーメンのように、湯をカップ１０内に注いで調理する場合に、カップ１０内の温度を確認して、的確な調理を行なうことができる。
【００４３】
（第７の実施形態）
次に、本考案を具体化したカップホルダの第７の実施形態を、図６（ｂ）を用いて説明する。なお、本実施形態は、第６の実施形態のカップホルダ２０のリング部２１の構成を変更したのみの構成であるため、同様の部分については、同一の符号を付し、その詳細な説明を省略する。
【００４４】
図６（ｂ）に示すように、本実施形態のカップホルダ２０は、シート状の温度計３０に接続された計時手段としてのタイマ３５を設ける。このタイマ３５は、温度計３０が基準温度（例えば、９０度）に到達してから時間計測を開始する。そして、予め定めた調理時間（例えば、３分）を経過した時に、アラームを出力する。この場合、調理時間が終了するまでの残り時間を表示してもよい。
【００４５】
本実施形態によれば、上記（１）及び（２）に記載の効果と同様な効果に加えて、以下のような効果を得ることができる。
（９）本実施形態では、カップホルダ２０に、温度計３０に接続したタイマ３５を設ける。このタイマ３５は、温度計３０が基準温度を超えた場合に時間を計測し、予め定めた調理時間を経過した時にアラームを出力する。これにより、基準温度の湯を注いでから調理時間を経過したことを、より確実に知ることができる。
【００４６】
また、上記各実施形態は、以下のように変更してもよい。
・  上記第２の実施形態においては、カップホルダ２０のリング部２１に、複数の突起部２１１が一列に並んだ滑り止め部２１０を設けた。滑り止め部２１０は、これに限定されるものでなく、例えば、これら突起部２１１を、複数列で帯状に配列した滑り止め部としてもよい。また、リング部２１の内側に、例えば紙やすりを貼付することにより、摩擦係数が高い領域を設け、これを滑り止め部としてもよい。
【００４７】
・  上記第３の実施形態においては、カップホルダ２０のグリップ部２５１に、蓋部２５２を設けた。これに代えて、蓋部２５２を省略し、グリップ部２５１によって、カップ１０の蓋１２が閉じられた状態を維持してもよい。また、蓋部２５２は、カップ１０の開口部全体を覆う形状としたが、形状はこれに限定されるものでなく、ハンドル部２２と反対側のカップ１０の開口部を押さえる形状であれば、例えば、長方形状等で構成することも可能である。
【００４８】
・  上記各実施形態においては、カップホルダ２０は、下方に丸みを帯びて湾曲した逆Ｌ字形状のハンドル部２２を設けた。ハンドル部２２の形状は、これに限定されるものでなく、例えば、一部が伸縮する構成を有する形状としてもよい。
【符号の説明】
【００４９】
１０…カップ、１１…フランジ部、１２…蓋、２０…カップホルダ、２１…リング部、２２…ハンドル部、２３…蓋留め部、２６，２１１，２５１ａ…突起部、３０…温度計、３５…タイマ、２１０…滑り止め部、２５１…グリップ部、２５２…蓋部。
【図１】
0003181007.tif 000003
【図２】
0003181007.tif 000004
【図３】
0003181007.tif 000005
【図４】
0003181007.tif 000006
【図５】
0003181007.tif 000007
【図６】
0003181007.tif 000008